(57)【特許請求の範囲】
【請求項１】
スリット露光用ガラスの下方で停止した光学系により、前記スリット露光用ガラス上を移動する原稿を読み取る原稿移動露光手段と、原稿台ガラスの下方で光学系を移動させることにより、前記原稿台ガラス上に載置した原稿を読み取る光学系移動露光手段と、を有する画像読み取り装置において、
前記スリット露光用ガラスの上面と前記原稿台ガラスの上面とを、ほぼ同一面に形成し、前記スリット露光用ガラスの板厚を前記原稿台ガラスの板厚より厚くし、前記スリット露光用ガラスの上面で、原稿読み取り位置の原稿搬送方向上流側に、厚さが０．４〜０．８ｍｍの原稿高さ位置決め部材を設け、原稿読み取り位置において、常時非接触で原稿読み取りを行うことを特徴とする画像読み取り装置。
【請求項２】
スリット露光用ガラスの下方で停止した光学系により、前記スリット露光用ガラス上を移動する原稿を読み取る原稿移動露光モードと、原稿台ガラスの下方で光学系を移動させることにより、前記原稿台ガラス上に載置した原稿を読み取る光学系移動露光モードと、を可能にする画像読み取り方法において、
前記スリット露光用ガラスの上面と前記原稿台ガラスの上面とを、ほぼ同一面に形成し、前記スリット露光用ガラスの板厚を前記原稿台ガラスの板厚より厚くし、かつ、前記スリット露光用ガラスの上面で、原稿読み取り位置の原稿搬送方向上流側に、厚さが０．４〜０．８ｍｍの原稿高さ位置決め部材を設け、該原稿高さ位置決め部材に移動する原稿を接触させて原稿の高さ位置を規制し、前記スリット露光用ガラスの上方の所定位置において原稿を通過させ、常時非接触で原稿読み取りを行うことを特徴とする画像読み取り方法。
【請求項３】
請求項１に記載の画像読み取り装置を備えて成ることを特徴とする画像形成装置。
【発明の詳細な説明】
【０００１】
【発明の属する技術分野】
本発明は、スリット露光用ガラスの上方を通過する原稿の画像を読み取る原稿移動露光型（シートスルー型）読み取り手段と、原稿台ガラスの上に載置された原稿の画像を読み取る光学系移動露光型（フラットベッド型）読み取り手段とを有する画像読み取り装置、画像読み取り方法、及び該画像読み取り装置を備えた電子写真複写機、プリンタ、ファクシミリ等の画像形成装置、及び複合機能を有する画像形成装置に関するものである。
【０００２】
【従来の技術】
原稿移動露光型読み取り手段と、光学系移動露光型読み取り手段とを備えた従来の画像読み取り装置としては、例えば、特開平３−２３１３７号公報に記載されたものがある。
【０００３】
この画像読み取り装置は、画像読み取り装置の上面に自動原稿送り装置（以下、ＡＤＦと称す）が装着されていて、このＡＤＦによって原稿束から１枚の原稿を分離してスリット露光用ガラス上に搬送し、このスリット露光用ガラスの下方で停止した光学系により、前記スリット露光用ガラス上を移動する原稿を読み取る原稿移動露光手段と、ＡＤＦを開放して原稿台ガラス上に原稿を載置した後、光学系を移動させることにより、原稿を読み取る光学系移動露光手段と、を有している。
【０００４】
【発明が解決しようとする課題】
しかしながら、このような画像読み取り装置にあっては、スリット露光用ガラスの上面と、原稿台ガラスの上面とが同一水平面内に位置しているため、光学系移動露光手段により原稿を読み取るときに比べて、原稿移動露光手段により原稿を読み取るときに、光学系のピント位置がずれて、原稿を精度良く読み取ることが出来ないという問題がある。
【０００５】
即ち、原稿移動露光手段により原稿を読み取る場合には、光学系のピントは、原稿移動露光手段のスリット露光用ガラスに対向して設けられた案内部材の周面に合わせるようになっている。該案内部材は、スリット露光用ガラスとともに原稿搬送経路の一部を構成する。従って、移動する原稿は、スリット露光用ガラスの上面よりも上側を搬送される。
【０００６】
これに対して、光学系移動露光手段により原稿を読み取る場合には、原稿を原稿台ガラスの上面に載置して停止させる。
【０００７】
光学系のピントは、原稿移動露光手段又は、光学系移動露光手段により原稿を読み取る際に、同一のピント位置に合わされ、通常は、原稿台ガラスの上面にピントが合わされている。
【０００８】
従って、従来の画像読み取り装置では、スリット露光用ガラスの上面と原稿台ガラスの上面とが同一水平面内に位置しているため、光学系移動露光手段により原稿を読み取るときに比べて、原稿移動露光手段により原稿を読み取るときに、光学系のピント位置がずれて、原稿を精度良く読み取ることが出来ない。
【０００９】
或いは、スリット露光用ガラスの上面に移動する原稿を圧着して原稿読み取りを行う接触方式では、光学系のピント位置ずれは生じないが、原稿面に付着した修正液や接着剤等の未乾燥の異物が、スリット露光用ガラスの上面に圧着されて固着すると、この異物が後続の原稿読み取り時に、縦の黒線となって画像上に発生する。
【００１０】
本発明は、上記の問題を解消し、原稿移動露光手段のスリット露光用ガラス上で原稿を読み取る場合と、光学系移動露光手段の原稿台ガラス上で原稿を読み取る場合との何れの場合においても、光学系のピントがずれることを防止して、原稿を精度良く読み取ることが出来る読み取り性能の高い画像読み取り装置及び画像形成装置を提供することを目的とするものである。
【００１１】
【課題を解決するための手段】
上記目的を達成する本発明の画像読み取り装置は、スリット露光用ガラスの下方で停止した光学系により、前記スリット露光用ガラス上を移動する原稿を読み取る原稿移動露光手段と、原稿台ガラスの下方で光学系を移動させることにより、前記原稿台ガラス上に載置した原稿を読み取る光学系移動露光手段と、を有する画像読み取り装置において、前記スリット露光用ガラスの板厚を前記原稿台ガラスの板厚より厚くしたことを特徴とするものである。
【００１２】
また、上記目的を達成する本発明の画像読み取り方法は、スリット露光用ガラスの下方で停止した光学系により、前記スリット露光用ガラス上を移動する原稿を読み取る原稿移動露光モードと、原稿台ガラスの下方で光学系を移動させることにより、前記原稿台ガラス上に載置した原稿を読み取る光学系移動露光モードと、を可能にする画像読み取り方法において、前記スリット露光用ガラスの板厚を前記原稿台ガラスの板厚より厚くし、かつ、前記スリット露光用ガラスの上面で、原稿読み取り位置の原稿搬送方向上流側に、所定厚さの原稿高さ位置決め部材を設け、該原稿高さ位置決め部材に移動する原稿を接触させて原稿の高さ位置を規制し、前記スリット露光用ガラスの上方の所定位置において原稿を通過させ、非接触で原稿読み取りを行うことを特徴とするものである。
【００１３】
更に、上記目的を達成する本発明の画像形成装置は、前記画像読み取り装置を備えて成ることを特徴とするものである。
【００１４】
【発明の実施の形態】
以下、本発明の画像読み取り装置及び画像読み取り装置を備えた画像形成装置を添付図面に基づいて説明する。
【００１５】
図１は、画像形成装置本体Ａ、自動原稿送り装置ＡＤＦから成る画像形成装置の全体構成図である。
【００１６】
画像形成装置本体Ａは、画像読み取り装置１、画像処理手段２、画像書き込み手段３、画像形成手段４、給紙手段５、搬送手段６、定着手段７、排紙手段８、自動両面コピーのための再搬送手段（ＡＤＵ）９を備えている。
【００１７】
画像形成装置本体Ａの上部には、自動原稿送り装置ＡＤＦが開閉可能に支持されている。
【００１８】
自動原稿送り装置ＡＤＦにおいて、２０は原稿給紙台、２１は給紙ローラ、２２は分離ローラ、２３はレジストローラ、２４は搬送ドラム、２５は原稿案内部材、２６Ａ，２６Ｂはピンチローラ、２７Ａ，２７Ｂは搬送路切り替え板、２８は排紙ローラ、２９は排紙皿である。自動原稿送り装置ＡＤＦは、片面原稿読み取り機能と両面原稿読み取り機能とを有する。
【００１９】
画像読み取り装置１の光学系は、光源と第１ミラーを備える露光ユニット１４、第２ミラーと第３ミラーから成るＶミラーユニット１５、レンズ１６、ＣＣＤイメージセンサ１７により構成されている。
【００２０】
自動原稿送り装置ＡＤＦによる原稿読み取りは、露光ユニット１４がスリット露光用ガラス１３の下方の初期位置（ホームポジション）に停止した位置において行われる。
【００２１】
原稿台ガラス１１上の原稿の読み取りは、露光ユニット１４及びＶミラーユニット１５を移動させながら行われる。
【００２２】
画像読み取り装置１において読み取られた原稿画像の画像情報は画像処理手段２により画像処理が行われ、画像データとして信号化され、一旦メモリに格納される。
【００２３】
画像書き込み手段３においては、半導体レーザからの出力光が画像形成手段４の感光体ドラムに照射され、潜像を形成する。画像形成手段４においては、帯電、露光、現像、転写、分離、クリーニング等の処理が行われ、給紙手段５から搬送された用紙Ｐに画像が転写される。画像を担持した用紙Ｐは、搬送手段６により搬送され、定着手段７により定着され、排紙手段８により装置外の排紙トレイ８１に排出される。
【００２４】
又は、搬送路切り替え板８２により再搬送手段９に送り込まれた第１面に画像形成された用紙Ｐは、再び画像形成手段４において第２面に画像形成後、排紙手段８により装置外の排紙トレイ８１に排出される。
【００２５】
或いは、搬送路切り替え板８２により通常の排紙通路から分岐した用紙Ｐは、反転排紙部８３においてスイッチバックして表裏反転された後、排紙手段８により装置外の排紙トレイ８１に排出される。
【００２６】
図２は、自動原稿送り装置ＡＤＦを揺動して、原稿台ガラス１１の上面を開放状態にした画像形成装置本体Ａの斜視図である。画像読み取り装置１の上部には、原稿台ガラス１１、シェーディング補正用基準板１２、スリット露光用ガラス１３、が配設されている。
【００２７】
原稿台ガラス１１の奥側端部近傍には、原稿台ガラス１１の長辺方向に平行する第１の原稿突き当て基準部材３１が配置されている。原稿台ガラス１１の短辺方向に平行する原稿台ガラス１１の図示右側方端部近傍には、第２の原稿突き当て基準部材３２が配置されている。
【００２８】
図３は画像読み取り装置１の断面図、図４は画像読み取り装置１の部分拡大断面図である。
【００２９】
自動原稿送り装置ＡＤＦ内で駆動回転する搬送ドラム２４と従動回転するピンチローラ２６Ａ，２６Ｂとに挟持されて搬送される原稿Ｄは、スリット露光用ガラス１３上の所定の読み取り位置ａにおいて、停止状態の光学系により原稿画像が読み取られる。
【００３０】
スリット露光用ガラス１３の上方には、原稿案内部材２５が近接して配置されている。また、スリット露光用ガラス１３の上面で原稿搬送方向上流側には、原稿高さ位置決め部材１８が接着固定されている
スリット露光用ガラス１３の原稿搬送方向下流側には、シェーディング補正用基準板１２を遮蔽するとともに原稿搬送案内部材を兼ねたカバー部材１９が、画像読み取り装置本体１０の上面に固定されている。
【００３１】
搬送ドラム２４により搬送される原稿Ｄは、スリット露光用ガラス１３上面と原稿案内部材２５の下面との間に形成された間隙を通過して、カバー部材１９の上面に沿って搬送される。
【００３２】
この搬送過程で、原稿Ｄは、原稿高さ位置決め部材１８の先端部に軽圧接して位置規制され、スリット露光用ガラス１３上面に接触することなく搬送される。
【００３３】
図５（ａ）は、画像読み取り装置１のスリット露光用ガラス１３近傍の部分拡大断面図である。
【００３４】
原稿高さ位置決め部材１８の板厚ｔは０．４〜０．８ｍｍ、原稿高さ位置決め部材１８の先端部の取り付け位置は、光学系による読み取り位置ａより上流側に距離ｂ、例えばｂ＝２ｍｍである。なお、原稿高さ位置決め部材１８の上面と原稿案内部材２５の下面との間隔ｃは０．８〜１．２ｍｍである。
【００３５】
搬送される原稿Ｄは、読み取り位置ａに近接する原稿高さ位置決め部材１８により位置決め規制されるから、スリット露光用ガラス１３に非接触で、かつ正確に画像読み取りが行われる。
【００３６】
原稿Ｄとスリット露光用ガラス１３とを非接触にすることにより、粘着性異物が付着した原稿Ｄが読み取り位置ａを通過するとき、前記粘着性異物がスリット露光用ガラス１３に付着することを防止出来る。
【００３７】
画像読み取り装置は、スリット露光用ガラス１３上を移動する原稿Ｄを読み取る原稿移動露光モードと、原稿台ガラス１１上に載置された原稿を光学系を移動させることにより読み取る光学系移動露光モードとの２モードを１つの光学系による露光処理が可能である。
【００３８】
本実施の形態では、スリット露光用ガラス１３、原稿台ガラス１１の各上面側をほぼ同一水平面上になるように配置した。従って、原稿移動露光モードのスリット露光用ガラス１３上方の読み取り位置ａは、光学系移動露光モードの原稿台ガラス１１上の読み取り位置より水平面上方に位置する。
【００３９】
これら両露光モードによる読み取り位置の差異を有したままの状態で、１つの光学系により正確な読み取りを可能にするため、原稿台ガラス１１の板厚Ｔ１とスリット露光用ガラス１３の板厚Ｔ２に差異を設け、Ｔ１＜Ｔ２に設定した。例えば、Ｔ１は４ｍｍ、Ｔ２は５ｍｍであることが好ましい。
【００４０】
一般に、光学系の光路中に、平行平面を有する透明ガラスを介在させて透過光を結像する位置ａは、次式により求められる。
【００４１】
δ＝〔１−（１／ｎ）〕Ｔ
式中、δは読み取り位置ａの透明ガラスの上面からの距離、Ｔは透明ガラスの板厚、ｎは透明ガラスの屈折率を示す。
【００４２】
（実施例）
図５（ｂ）は、原稿台ガラス１１を透過する露光光の光路図を示す。
【００４３】
上記の式を、板厚Ｔ１＝４ｍｍ、屈折率ｎ＝１．５の原稿台ガラス１１に適用すれば、読み取り位置ａ１はδ１＝１．３３ｍｍである。
【００４４】
図５（ｃ）は、スリット露光用ガラス１３を透過する露光光の光路図を示す。
【００４５】
上記の式を、板厚Ｔ２＝５ｍｍ、屈折率ｎ＝１．５のスリット露光用ガラス１３に適用すれば、読み取り位置ａ２はδ２＝１．６６ｍｍである。従って、読み取り位置ａ１，ａ２の差異は、δ３＝δ２−δ１＝０．３３ｍｍである。
【００４６】
ここで、原稿台ガラス１１の上面を光学系の読み取り位置に設定すれば、スリット露光用ガラス１３を透過する光路の読み取り位置を、δ３＝０．３３ｍｍになるように光学系を設定すればよい。
【００４７】
読み取り位置を、スリット露光用ガラス１３の上面から上方で、δ３＝０．３３ｍｍの位置になるように原稿Ｄを保持するため、読み取り位置の近傍に原稿高さ位置決め部材１８を設置する。
【００４８】
原稿高さ位置決め部材１８の先端部の取り付け位置は、光学系による読み取り位置ａより上流側に距離ｂ＝２ｍｍに設定し、原稿高さ位置決め部材１８の板厚ｔは接着剤層を含めて０．６ｍｍに設定した。これは、原稿Ｄが搬送中に湾曲して、読み取り位置ａでは、δ＝０．３３ｍｍの位置に近づく値である。
【００４９】
原稿高さ位置決め部材１８は、板厚０．５ｍｍのポリエチレン・テレフタレート（ＰＥＴ）製薄板を両面粘着材を用いて、スリット露光用ガラス１３の上面に接合した。或いは薄板材の片面にテフロン被覆処理を施した原稿高さ位置決め部材１８をスリット露光用ガラス１３の上面に接合してもよい。
【００５０】
【発明の効果】
以上説明したように、本発明の画像読み取り装置、画像読み取り方法及び画像形成装置により以下の効果が奏せられる。
【００５１】
（１）スリット露光用ガラス１３の上面と原稿台ガラス１１の上面とをほぼ同一面に形成し、スリット露光用ガラス１３の板厚Ｔ２を原稿台ガラス１１の板厚Ｔ１より厚くしたことにより、原稿台ガラス１１の上面に載置された原稿を読み取る光学系を、スリット露光用ガラス１３の直下に停止させて原稿移動露光モードにしたとき、スリット露光用ガラス１３の上方空間で原稿を非接触でピント合わせして読み取ることが出来る。
【００５２】
この結果、同一の光学系を用いて、原稿台ガラス１１上で原稿を読み取るときの光学系のピントと、スリット露光用ガラス１３の上方を非接触で通過する原稿を読み取るときの光学系のピントとを同じにして、原稿画像を良好に読み取ることができる。
【００５３】
（２）原稿移動露光モードにおいて、所定板厚の原稿高さ位置決め部材１８を読み取り位置近傍の上流側の所定位置に設置することにより、移動する原稿の読み取り位置が安定し、原稿画像の読み取り性能を高めることができる。
【００５４】
（３）原稿移動露光モードにおいて、移動する原稿は、スリット露光用ガラス１３の上方を非接触で通過するから、原稿面に修正液や接着剤等の未乾燥異物が付着していても、読み取り位置におけるスリット露光用ガラス１３の上面に転写されることはない。従って、後続の原稿読み取り持に黒縦スジが発生することは防止される。
【００５５】
また、原稿移動露光モードにおいて、原稿読み取り位置において、移動する原稿とスリット露光用ガラス１３とは非接触であるから、接触によって発生する静電気が紙屑やトナー等の浮遊ゴミをスリット露光用ガラス１３面に付着して複写画像汚れを発生することはない。
【００５６】
（４）画像読み取り装置を読み取り部に備え、該読み取り部で読み取られた画像を記録材上に形成する画像形成装置とすれば、原稿移動露光モード、光学系移動露光モードの何れの場合においても、良好な画像読み取りにより、記録材上に優れた画質の画像が形成される。
【図面の簡単な説明】
【図１】画像形成装置本体、自動原稿送り装置から成る画像形成装置の全体構成図。
【図２】原稿台ガラスの上面を開放状態にした自動原稿送り装置と画像形成装置本体の斜視図。
【図３】画像読み取り装置の断面図。
【図４】画像読み取り装置の部分拡大断面図。
【図５】画像読み取り装置のスリット露光用ガラス近傍の部分拡大断面図、原稿台ガラスを透過する露光光の光路図、及びスリット露光用ガラスを透過する露光光の光路図。
【符号の説明】
１  画像読み取り装置
１０  画像読み取り装置本体
１１  原稿台ガラス
１２  シェーディング補正用基準板
１３  スリット露光用ガラス
１４  露光ユニット
１５  Ｖミラーユニット
１６  レンズ
１７  ＣＣＤイメージセンサ
１８  原稿高さ位置決め部材
１９  カバー部材
Ａ  画像形成装置本体
ＡＤＦ  自動原稿送り装置
Ｄ  原稿
Ｐ  用紙
ａ，ａ１，ａ２  読み取り位置
ｔ  原稿高さ位置決め部材の板厚
δ１，δ２，δ３  読み取り位置の透明ガラスの上面からの距離
【図１】
0003788128.tif 000002
【図２】
0003788128.tif 000003
【図３】
0003788128.tif 000004
【図４】
0003788128.tif 000005
【図５】
0003788128.tif 000006